(57)【特許請求の範囲】
【請求項１】
通信ネットワークを介して接続されたメディア端末間でのメディア通信セッションを確立するための通信システムであって、
利用者端末から第１の発信要求を受信し、その第１の発信要求に基づき利用者メディア端末と第１の相手メディア端末をそれぞれ呼び出すことにより当該利用者メディア端末と当該第１の相手メディア端末との間の第１のメディア通信セッションを確立する手段と、
前記第１のメディア通信セッションが切断されることを検知したときに、発信待ち音を前記利用者メディア端末に送信する音送信手段と、
前記利用者端末から第２の発信要求を受信し、その第２の発信要求に基づき第２の相手メディア端末を呼び出すことにより前記利用者メディア端末と当該第２の相手メディア端末との間の第２のメディア通信セッションを確立する手段と
を備えたことを特徴とする通信システム。
【請求項２】
前記音送信手段は、前記第１のメディア通信セッションが切断されることを検知したときに、通話が終了したことを示す音を予め定めた時間だけ前記利用者メディア端末に送信した後に前記発信待ち音を前記利用者メディア端末に送信する請求項１に記載の通信システム。
【請求項３】
前記通信システムが前記利用者端末から前記第２の発信要求を受信したときに、前記音送信手段は、前記発信待ち音に代えて呼び出し音を前記利用者メディア端末に送信する請求項１又は２に記載の通信システム。
【請求項４】
前記利用者端末から受信する発信要求の回数が予め定めた回数を超えたときに、前記利用者メディア端末に発信回数超過音を送信し、前記利用者メディア端末と前記通信システム間の接続を切断する請求項１ないし３のうちいずれか１項に記載の通信システム。
【請求項５】
前記発信待ち音の送信を開始してから、前記第２の発信要求を受信することなく予め定めた時間が経過した場合に、前記利用者メディア端末と前記通信システム間の接続を切断する請求項１ないし４のうちいずれか１項に記載の通信システム。
【請求項６】
呼接続制御装置と、連続発信制御装置と、音源装置とを含む通信システムにおいて使用される前記連続発信制御装置であって、
利用者端末から送信された第１の発信要求を受信し、その第１の発信要求に基づき利用者メディア端末と第１の相手メディア端末を前記呼接続制御装置を介してそれぞれ呼び出すことにより当該利用者メディア端末と当該第１の相手メディア端末との間の第１のメディア通信セッションを確立する手段と、
前記第１のメディア通信セッションが切断されることを検知したときに、前記音源装置に対して発信待ち音送信指示を送るとともに、当該音源装置と前記利用者メディア端末とを接続する手段と、
前記利用者端末から送信された第２の発信要求を受信し、その第２の発信要求に基づき第２の相手メディア端末を前記呼接続制御装置を介して呼び出すことにより前記利用者メディア端末と当該第２の相手メディア端末との間の第２のメディア通信セッションを確立する手段と
を備えたことを特徴とする連続発信制御装置。
【請求項７】
前記利用者端末から前記第２の発信要求を受信したときに、前記音源装置に対して、前記発信待ち音に代えて呼び出し音を前記利用者メディア端末に送信するように指示する請求項６に記載の連続発信制御装置。
【請求項８】
通信ネットワークを介して接続されたメディア端末間でのメディア通信セッションを確立するための通信システムにより実行される通信制御方法であって、
利用者端末から第１の発信要求を受信し、その第１の発信要求に基づき利用者メディア端末と第１の相手メディア端末をそれぞれ呼び出すことにより当該利用者メディア端末と当該第１の相手メディア端末との間の第１のメディア通信セッションを確立するステップと、
前記第１のメディア通信セッションが切断されることを検知したときに、発信待ち音を前記利用者メディア端末に送信する音送信ステップと、
前記利用者端末から第２の発信要求を受信し、その第２の発信要求に基づき第２の相手メディア端末を呼び出すことにより前記利用者メディア端末と当該第２の相手メディア端末との間の第２のメディア通信セッションを確立するステップと
を有することを特徴とする通信制御方法。
【請求項９】
呼接続制御装置と、連続発信制御装置と、音源装置とを含む通信システムにおいて使用される前記連続発信制御装置の機能をコンピュータに実現させるためのプログラムであって、前記コンピュータを、
利用者端末から送信された第１の発信要求を受信し、その第１の発信要求に基づき利用者メディア端末と第１の相手メディア端末を前記呼接続制御装置を介してそれぞれ呼び出すことにより当該利用者メディア端末と当該第１の相手メディア端末との間の第１のメディア通信セッションを確立する手段、
前記第１のメディア通信セッションが切断されることを検知したときに、前記音源装置に対して発信待ち音送信指示を送るとともに、当該音源装置と前記利用者メディア端末とを接続する手段、
前記利用者端末から送信された第２の発信要求を受信し、その第２の発信要求に基づき第２の相手メディア端末を前記呼接続制御装置を介して呼び出すことにより前記利用者メディア端末と当該第２の相手メディア端末との間の第２のメディア通信セッションを確立する手段、
として機能させるプログラム。
【発明の詳細な説明】
【技術分野】
【０００１】
本発明は、ＰＣ等の利用者端末の画面上から発信要求を行うことにより、ネットワーク側から利用者電話端末と相手電話端末を呼び出し、通話を行うことを可能とするクリックツーダイヤル技術に関するものである。
【背景技術】
【０００２】
ＰＣ等の利用者端末の画面上に表示された電話番号等をクリックすることにより、当該利用者の利用者電話端末と相手電話端末を呼び出し、通話を行うことを可能とするクリックツーダイヤル技術が従来からある。
【０００３】
クリックツーダイヤル技術におけるシステム概要構成を図１に示す。図１に示すように、このシステムは、クリックツーダイヤルサービスを提供するために必要な装置が備えられたサービスネットワーク１と、利用者端末（ＰＣ）３と、利用者電話端末５と、相手電話端末７を有する。利用者端末３の画面には一例として図２に示すような電話番号のリストが表示される。そして、利用者が利用者端末３の画面上から通話したい相手の電話番号をクリックすることにより、その相手の電話番号と利用者の電話番号とを含む接続要求がサービスネットワーク１に通知される。
【０００４】
サービスネットワークは、当該利用者の利用者電話端末５を呼び出し、利用者電話端末５がオフフックしたことを検知すると相手電話端末７を呼び出す。そして、相手電話端末７がオフフックすることにより両者間での通話が行われる。
【０００５】
なお、PC等の端末で実行されるアプリケーションの画面上に表示される電話番号等をクリックして呼接続を行うことに関する先行技術文献として特許文献１がある。
【特許文献１】特開2006-222815号公報
【発明の開示】
【発明が解決しようとする課題】
【０００６】
例えば、上記のクリックツーダイヤル技術を、多くの相手に電話をかける必要があるアウトバンド業務で使用する場合、多くの相手への発信を効率的に行う必要がある。
【０００７】
しかし、従来のクリックツーダイヤル技術では、利用者は通話が終了する都度一旦受話器を置き、利用者端末３から電話番号をクリックし、サービスネットワーク１側からの呼び出しに対して改めて受話器を持ち上げる必要があった。このような操作では、連続的に発信を行うのに時間がかかってしまい、アウトバンド業務での生産性が低下する可能性がある。
【０００８】
大量の発信を効率的に行うための装置として、プレディクティブダイヤラと呼ばれる装置が従来からある。しかし、プレディクティブダイヤラは、非常に高価であり、小規模なコールセンタや事業所ではこれを使用することは難しい。  
本発明は上記の点に鑑みてなされたものであり、プレディクティブダイヤラのような専門装置を導入することなく、連続した発信を効率的に行うことを可能とするクリックツーダイヤル技術を提供することを目的とする。
【課題を解決するための手段】
【０００９】
上記の課題を解決するために、通信ネットワークを介して接続されたメディア端末間でのメディア通信セッションを確立するための通信システムであって、利用者端末から第１の発信要求を受信し、その第１の発信要求に基づき利用者メディア端末と第１の相手メディア端末をそれぞれ呼び出すことにより当該利用者メディア端末と当該第１の相手メディア端末との間の第１のメディア通信セッションを確立する手段と、前記第１のメディア通信セッションが切断されることを検知したときに、発信待ち音を前記利用者メディア端末に送信する音送信手段と、前記利用者端末から第２の発信要求を受信し、その第２の発信要求に基づき第２の相手メディア端末を呼び出すことにより前記利用者メディア端末と当該第２の相手メディア端末との間の第２のメディア通信セッションを確立する手段とを備えたことを特徴とする通信システムが提供される。
【００１０】
前記音送信手段は、前記第１のメディア通信セッションが切断されることを検知したときに、通話が終了したことを示す音を予め定めた時間だけ前記利用者メディア端末に送信した後に前記発信待ち音を前記利用者メディア端末に送信することとしてもよい。
【００１１】
また、前記通信システムが前記利用者端末から前記第２の発信要求を受信したときに、前記音送信手段は、前記発信待ち音に代えて呼び出し音を前記利用者メディア端末に送信することとしてもよい。
【００１２】
また、前記利用者端末から受信する発信要求の回数が予め定めた回数を超えたときに、前記利用者メディア端末に発信回数超過音を送信し、前記利用者メディア端末と前記通信システム間の接続を切断したり、前記発信待ち音の送信を開始してから、前記第２の発信要求を受信することなく予め定めた時間が経過した場合に、前記利用者メディア端末と前記通信システム間の接続を切断することとしてもよい。
【００１３】
また、本発明の一実施形態によれば、呼接続制御装置と、連続発信制御装置と、音源装置とを含む通信システムにおいて使用される前記連続発信制御装置であって、利用者端末から送信された第１の発信要求を受信し、その第１の発信要求に基づき利用者メディア端末と第１の相手メディア端末を前記呼接続制御装置を介してそれぞれ呼び出すことにより当該利用者メディア端末と当該第１の相手メディア端末との間の第１のメディア通信セッションを確立する手段と、前記第１のメディア通信セッションが切断されることを検知したときに、前記音源装置に対して発信待ち音送信指示を送るとともに、当該音源装置と前記利用者メディア端末とを接続する手段と、前記利用者端末から送信された第２の発信要求を受信し、その第２の発信要求に基づき第２の相手メディア端末を前記呼接続制御装置を介して呼び出すことにより前記利用者メディア端末と当該第２の相手メディア端末との間の第２のメディア通信セッションを確立する手段とを備えたことを特徴とする連続発信制御装置が提供される。
【００１４】
また、本発明の一実施形態によれば、コンピュータに上記連続発信制御装置の各手段を実現させるプログラムが提供される。
【発明の効果】
【００１５】
本発明によれば、プレディクティブダイヤラのような専門装置を導入することなく、連続発信を効率的に行うことを可能とする技術を実現することができる。
【発明を実施するための最良の形態】
【００１６】
以下、図面を参照して本発明の実施の形態について説明する。本発明は、音声通信のみでなく画像通信等の他のメディア通信にも適用できるものであるが、以下、メディアとして音声を使用する音声通信を例にとって説明する。また、本明細書において"電話端末"とは、いわゆる電話機のみでなく、音声通信を行うことが可能な端末全般を含むものである。電話端末はメディア端末の一例である。
【００１７】
＜処理の概要＞
まず、図３に示す処理のシーケンスを参照して、本実施形態における処理の基本的な流れを説明する。図３におけるクリックツーダイヤルシステム９は、利用者側で受話器を置くことなく連続的な発信が可能なクリックツーダイヤルサービスを提供するための装置からなるものであり、各装置はインターネット等の通信ネットワークに接続されたシステムである。また、クリックツーダイヤルシステム９は通信ネットワークを介して利用者端末や電話端末と接続される。
【００１８】
また、図３における利用者側における"利用者"とはクリックツーダイヤルシステム９の連続発信機能を利用する利用者であり、クリックツーダイヤルシステム９に接続される利用者端末（ＰＣ等）と、利用者電話端末を有している。相手側は利用者と通話を行う複数の相手である。
【００１９】
まず、利用者端末が第１の相手電話端末の電話番号等を表示した画面を表示する。そして、利用者によるクリック操作に基づき、利用者端末は連続発信要求をクリックツーダイヤルシステム９に送信する（ステップ１）。この連続発信要求には、利用者電話端末の電話番号と第１の相手先電話端末の電話番号と連続発信要求であることを示す情報とが含まれる。なお、利用者電話端末の電話番号と第１の相手電話端末の電話番号のいずれか又は両方は電話番号でなく、ネットワークで使用される電話番号に対応付けられた識別情報（もしくは別体系の電話番号）であってもよい。この場合、クリックツーダイヤルシステム９が当該識別情報から電話番号への変換を行う。
【００２０】
続いて、クリックツーダイヤルシステム９は、利用者電話端末に対して呼び出しを行う（ステップ２）。この呼び出しにより利用者電話端末が鳴り、利用者電話端末においてオフフックがなされると、利用者電話端末からクリックツーダイヤルシステム９に対して応答が返される（ステップ３）。クリックツーダイヤルシステム９は、この応答を受信したことに応じて、利用者電話端末に擬似ＲＢＴ（リングバックトーン：被呼者を呼び出し中であることを知らせるための音）を送信する（ステップ４）。
【００２１】
クリックツーダイヤルシステム９は、擬似ＲＢＴを利用者電話端末に送信するとともに、第１の相手電話端末に対して呼び出しを行う（ステップ５）。そして、第１の相手電話端末がオフフックすると、そのことを示す応答が第１の相手電話端末からクリックツーダイヤルシステム９に返される（ステップ６）。これにより利用者電話端末と第１の相手電話端末との間の音声通信セッションが確立され、利用者電話端末と第１の相手電話端末との間で音声通信（通話）が行われる。
【００２２】
次に、利用者電話端末がオフフックしている間に第１の相手電話端末がオンフックするか、もしくは、利用者電話端末をオンフックすることなく、利用者が利用者端末から第１の相手電話端末との通話を切断するための操作を行うと、利用者電話端末と第１の相手電話端末との間での通話が終了する（ステップ８）。
【００２３】
通話終了のための操作を検知したクリックツーダイヤルシステム９は、擬似ＢＴ（ビジートーン：一般には被呼者が話中であることを知らせるための音）を一定時間、利用者電話端末に送信し（ステップ９）、その後に次発信待ち音を利用者電話端末に送信する（ステップ１０）。なお、クリックツーダイヤルシステム９は、擬似ＢＴの送信を開始した時点では既に次の発信要求待ちの状態にある。ここでの擬似ＢＴは第１の相手との通話が終了したことを利用者に聴覚的に理解させるための音である。
【００２４】
続いて、利用者により第２の相手への発信要求操作が利用者端末においてなされると、利用者端末から当該発信要求がクリックツーダイヤルシステム９に送信される（ステップ１１）。この発信要求には、第２の相手電話端末の電話番号が含まれる。
【００２５】
利用者端末から第２の相手電話端末への発信要求を受信したクリックツーダイヤルシステム９は、利用者電話端末に擬似ＲＢＴを送信するとともに（ステップ１２）、第２の相手電話端末に対して呼び出しを行う（ステップ１３）。そして、第２の相手電話端末がオフフックすると、そのことを示す応答が第２の相手電話端末からクリックツーダイヤルシステム９に返される（ステップ１４）。これにより利用者電話端末と第２の相手電話端末との間で音声通信（通話）が行われる（ステップ１５）。
【００２６】
第２の相手電話端末との間の通話が終了した後、更に利用者端末から別の相手電話端末への発信要求がなされる場合は、ステップ９〜１５の処理と同様の処理が繰り返される。
【００２７】
利用者電話端末がオンフックすれば利用者電話端末からの一連の発信（連続発信）は終了する。また、利用者による利用者端末でのボタンクリック操作等を契機として、利用者端末から連続発信を終了する旨のメッセージをクリックツーダイヤルシステム９に送信することによっても連続発信を終了させることができる。また、クリックツーダイヤルシステ９が、ステップ１０の次発信待ち音を送出する時間を計測し、利用者端末からの次の発信要求がないまま予め定めた時間を経過した場合に連続発信を終了させることとしてもよい。更に、クリックツーダイヤルシステム９が、同一利用者による連続発信の開始からの発信回数を記録しておき、その回数が予め定めた回数に達したら連続発信を終了させることとしてもよい。この場合、予め定めた回数を超えた発信要求を受けると、クリックツーダイヤルシステム９は、次発信待ち音に代えて発信回数超過音を利用者電話端末に送信し、その後に利用者電話端末との接続を切断する。
【００２８】
ある連続発信が終了した後に別の連続発信を行うためには図３に示すステップ１からの操作を行うことが必要である。
【００２９】
上記の処理を行うために、クリックツーダイヤルシステム９は、少なくとも、利用者端末から第１の発信要求を受信し、その第１の発信要求に基づき利用者メディア端末と第１の相手メディア端末をそれぞれ呼び出すことにより当該利用者メディア端末と当該第１の相手メディア端末との間の第１のメディア通信セッションを確立する手段と、前記第１のメディア通信セッションが切断されることを検知したときに、発信待ち音を前記利用者メディア端末に送信する音送信手段と、前記利用者端末から第２の発信要求を受信し、その第２の発信要求に基づき第２の相手メディア端末を呼び出すことにより前記利用者メディア端末と当該第２の相手メディア端末との間の第２のメディア通信セッションを確立する手段とを有している。
【００３０】
＜システム構成＞
次に、本実施の形態におけるシステム構成について詳細に説明する。図４に、本実施の形態におけるシステム構成図を示す。図４に示すように、本実施の形態のシステムは、要求受付／状態管理装置１１、連続発信制御装置１３、音源装置１５、呼接続制御装置１７、利用者端末Ａ、利用者電話端末Ａ、相手電話端末Ｂ、相手電話端末Ｃを有し、これらがインターネット等の通信ネットワーク１９に接続されている。
【００３１】
図４における要求受付／状態管理装置１１、連続発信制御装置１３、音源装置１５、及び呼接続制御装置１７からなるシステムは図３に示したクリックツーダイヤルシステム９の一例である。
【００３２】
要求受付／状態管理装置１１は、利用者端末Ａからの発信要求を受け付ける機能と、呼状態等の状態を管理したり、状態に応じた動作を行う機能を有する。利用者端末Ａからの発信要求を受け付ける機能と状態を管理する機能はそれぞれ通信ネットワーク１９に接続された別々の装置で実現してもよく、その場合、利用者端末Ａからの発信要求を受け付ける機能は例えばＷｅｂサーバで実現できる。
【００３３】
連続発信制御装置１３は、要求受付／状態管理装置１１を経由した利用者端末Ａからの発信要求等に基づき連続発信制御を行う装置である。音源装置１３は、擬似ＢＴ等の前述した音を利用者電話端末Ａに送信する装置である。
【００３４】
また、呼接続制御装置１７は、電話番号に基づき呼のルーチングを制御する装置であり、例えばＳＩＰ（session initiation protocol）に基づいた呼制御を行うＩＰ電話ネットワークで一般的に使用されているＳＩＰサーバである。呼接続制御装置１７は、１つだけでなく中継用の呼接続制御装置と、電話端末を収容する呼接続制御装置を含む複数の装置からなるものとしてもよい。
【００３５】
連続発信制御装置１３、音源装置１５、呼接続制御装置１７、各電話端末は、例えばＳＩＰに基づく制御メッセージの交換により装置間でのセッションを確立する機能を有している。また、利用者端末Ａは、前述した画面表示を行い、クリック操作等の操作を受け付け、発信要求を送信する機能を含むアプリケーションを有している。
【００３６】
連続発信制御装置１３の機能構成の一例を図５に示す。図５に示すように、連続発信制御装置１３は、制御メッセージの作成・送信を行う制御メッセージ作成・送信部１３１と、制御メッセージを受信する制御メッセージ受信部１３２と、受信した制御メッセージに基づき本実施の形態で説明する制御メッセージの作成・送信を制御メッセージ作成・送信部１３３に指示したり、各種情報の格納や読み出しを行う制御部１３３と、記憶部１３４とを有する。
【００３７】
連続発信制御装置１３は、例えば、コンピュータに各機能部の機能を実現させるためのプログラムを当該コンピュータに実行させることにより実現できる。図６に連続発信制御装置１３を実現するためのコンピュータ２１の構成の一例を示す。図６に示すように、当該コンピュータ２１は、ＣＰＵ２１１、メモリ２１２、通信デバイス２１３、入出力装置２１４、ハードディスクドライブ等の記憶装置２１５、ＣＤ−ＲＯＭ等の記録媒体の読み取り装置２１６を備えている。
【００３８】
本実施の形態で説明した処理を行うプログラムは例えばＣＤ−ＲＯＭ等の記録媒体から記録媒体読み取り装置２１６により読み取られ、コンピュータ２１にインストールされる。また、当該プログラムをネットワーク上のサーバからダウンロードすることとしてもよい。
【００３９】
このプログラムにより、コンピュータ２１において、例えば、利用者端末から送信された第１の発信要求を受信し、その第１の発信要求に基づき利用者メディア端末と第１の相手メディア端末を前記呼接続制御装置を介してそれぞれ呼び出すことにより当該利用者メディア端末と当該第１の相手メディア端末との間の第１のメディア通信セッションを確立する手段と、前記第１のメディア通信セッションが切断されることを検知したときに、前記音源装置に対して発信待ち音送信指示を送るとともに、当該音源装置と前記利用者メディア端末とを接続する手段と、前記利用者端末から送信された第２の発信要求を受信し、その第２の発信要求に基づき第２の相手メディア端末を前記呼接続制御装置を介して呼び出すことにより前記利用者メディア端末と当該第２の相手メディア端末との間の第２のメディア通信セッションを確立する手段とが実現される。
【００４０】
＜システムの動作＞
（第１の動作例）
次に、図４に示したシステムの第１の動作例を図７、図８のシーケンスチャートを用いて説明する。第１の動作例は、利用者端末Ａにおいて発信の都度相手の電話番号を指定して連続発信を行う場合の例である。以下の処理動作で用いられる制御メッセージとしては、例えばＳＩＰに基づく制御メッセージを用いることができるが、ＳＩＰ以外のプロトコルを使用することも可能である。
【００４１】
なお、実際には、連続発信制御装置１３と各電話端末間の制御メッセージの送受信は呼接続制御装置１７を介してなされるが、連続発信制御装置１３と各電話端末間での制御メッセージの送受信が分かりやすくなるように図７、８では呼接続制御装置１７を示していない。
【００４２】
また、制御メッセージとしては主要なもののみを示している。また、図７、８では要求受付／状態管理装置１１、連続発信制御装置１３、音源装置１５をそれぞれＲ、Ｃ、Ｖと示している。
【００４３】
まず、利用者が利用者端末Ａにおいて通話相手を指定して連続発信開始のための操作を行うと、少なくとも利用者電話端末Ａの電話番号と、最初の通話相手電話端末としての相手電話端末Ｂの電話番号とを含む連続発信要求が要求受付／状態管理装置１１に送られる（ステップ２１）。要求受付／状態管理装置１１は、当該利用者端末Ａから連続発信要求があったことをその記憶手段に記録し（例えば連続発信要求に含まれる利用者識別情報を連続発信要求を識別する情報とともに記録する）、利用者電話端末Ａの電話番号と相手電話端末Ｂの電話番号とを含む連続発信要求を連続発信制御装置１３に送信する（ステップ２２）。なお、利用者電話端末Ａの電話番号を利用者識別情報として使用してもよい。
【００４４】
連続発信制御装置１３は、この連続発信要求に対して呼識別子を付与し、それを要求受付／状態管理装置１１に送信する（ステップ２３）。要求受付／状態管理装置１１は、その呼識別子を利用者識別情報と対応付けて記憶手段に保持する。また、この呼識別子は、今回の連続発信（一連の発信）の呼に関する呼識別子であるとして連続発信制御装置１３の記憶手段に記録されるととともに、今回の連続発信に係わる制御メッセージに含められる。
【００４５】
連続発信制御装置１３は、利用者電話端末Ａに対して接続要求メッセージを送信することにより利用者電話端末Ａの呼び出しを行う（ステップ２４）。利用者電話端末Ａがオフフックすると利用者電話端末Ａは応答メッセージを連続発信制御装置に送信する（ステップ２５）。なお、この応答メッセージには、利用者電話端末Ａと音声通信を行うために必要な情報（利用者電話端末Ａのセッション記述）が含まれている。
【００４６】
連続発信制御装置１３は、上記応答メッセージを受信したことを検知すると、利用者電話端末Ａのセッション記述を含む接続要求メッセージを相手電話端末Ｂに送信することにより相手電話端末Ｂの呼び出しを開始する（ステップ２６）。
【００４７】
それに続き、連続発信制御装置１３は、利用者電話端末Ａと通信するために必要な情報を含む接続要求メッセージを音源装置１５に送る（ステップ２７）。また、この接続要求メッセージには利用者電話端末Ａに対して擬似ＲＢＴを送信する旨の指示を含む。そして音源装置１５は応答メッセージを連続発信制御装置１３に送信する（ステップ２８）。この応答メッセージには音源装置１５と音声通信を行うために必要な情報（音源装置のセッション記述）が含まれる。
【００４８】
音源装置１５から応答メッセージを受信した連続発信制御装置１３は、音源装置１５のセッション記述を含む接続要求メッセージを利用者電話端末Ａに送信する（ステップ２９）。それを受けて利用者電話端末Ａは応答メッセージを連続発信制御装置１３に送信する（ステップ３０）。この時点で既に利用者電話端末Ａと音源装置は両者間で音声通信を行うために必要な情報を有しており（両者は接続された状態にある）、音源装置１５は利用者電話端末Ａに対して擬似ＲＢＴを送信し（ステップ３１）、利用者電話端末Ａを利用する利用者はその擬似ＲＢＴを聞く。これにより利用者は相手電話端末Ｂに対する呼び出しが行われていることを認識する。
【００４９】
相手電話端末Ｂがオフフックすると、応答メッセージが連続発信制御装置１３に送信される（ステップ３２）。なお、この応答メッセージは、ステップ２６の接続要求メッセージに対する応答メッセージである。また、この応答メッセージには、相手電話端末Ｂと音声通信を行うために必要な情報（相手電話端末Ｂのセッション記述）が含まれる。
【００５０】
相手電話端末Ｂから上記応答メッセージを受信した連続発信制御装置１３は、音源装置１５との接続を切断し（ステップ３３、３４）、相手電話端末Ｂのセッション記述を含む接続要求メッセージを利用者電話端末Ａに送信する（ステップ３５）。利用者電話端末Ａは応答メッセージを返す（ステップ３６）。そして、利用者電話端末Ａと相手電話端末Ｂとの間の音声通信（ＲＴＰによる通信）が行われる（ステップ３７）。
【００５１】
その後、利用者電話端末Ａがオンフックした場合、つまり利用者電話端末Ａから音声通信を切断し、連続発信を終了する場合について説明する。利用者電話端末Ａは切断要求メッセージを連続発信制御装置１３に送り（図８のステップ４１）、連続発信制御装置１３は応答メッセージを利用者電話端末Ａに送信する（ステップ４３）。これにより、利用者電話端末Ａと連続発信制御装置１３間の接続は切断される。更に連続発信制御装置１３は、切断要求メッセージを相手電話端末Ｂに送り（ステップ４４）、相手電話端末Ｂは応答メッセージを連続発信制御装置１３に送信する（ステップ４５）。これにより、相手電話端末Ｂと連続発信制御装置１３間の接続は切断される。
【００５２】
また、ステップ４２において、連続発信制御装置１３は、呼切断がされた旨の情報を呼識別子とともに要求受付／状態管理装置１１に送信し、要求受付／状態管理装置１１はそれを記録する。もしくは、今回の利用者電話端末Ａによる連続発信に関する記録情報を削除する。これにより、次に利用者端末Ａから連続発信要求があった場合は新たな連続発信としてステップ２２からの処理と同様の処理が行われる。
【００５３】
次に、ステップ３７での通話の後、相手電話端末Ｂから切断が行われ、その後に別の電話端末である相手電話端末Ｃへの発信を行う場合についての処理の流れを説明する。なお、通話中において、利用者電話端末Ａをオンフックせずに、例えば利用者端末Ａ上に表示された切断ボタンをクリックする操作を行うことにより通話の切断を連続発信制御装置１３に指示する場合も以下と同様の処理が行われる。ただし、この場合は相手電話端末Ｂに対して切断要求メッセージが送信される。
【００５４】
相手電話端末Ｂにおいてオンフックがなされると、相手電話端末Ｂは切断要求メッセージを連続発信制御装置１３に送信し（ステップ５１）、連続発信制御装置１３は応答メッセージを返す（ステップ５２）。
【００５５】
なお、ステップ５１において切断要求メッセージを受信した連続発信制御装置１３は、記録されている呼識別子に対応付けて記憶手段に記憶されている情報から、この切断要求メッセージに係る通信は連続発信要求に基づくものであると判断し、利用者電話端末Ａに対する切断要求メッセージの送信や、要求受付／状態管理装置１１に対する切断の通知は行わない。
【００５６】
ステップ５３において、連続発信制御装置１３は、音源装置１５に対して接続要求メッセージを送信する。この接続要求メッセージには利用者電話端末Ａと通信するために必要な情報とともに、利用者電話端末Ａに対して予め定めた時間だけ擬似ＢＴを送信し、その後に次発信待ち音を送信する旨の指示を含む。そして音源装置１５は応答メッセージを連続発信制御装置１３に送信する（ステップ５４）。この応答メッセージには音源装置１５と音声通信を行うために必要な情報（音源装置のセッション記述）が含まれる。
【００５７】
音源装置１５から応答メッセージを受信した連続発信制御装置１３は、音源装置１５のセッション記述を含む接続要求メッセージを利用者電話端末Ａに送信する（ステップ５５）。それを受けて利用者電話端末Ａは応答メッセージを連続発信制御装置１３に送信する（ステップ５６）。この時点で既に利用者電話端末Ａと音源装置１５は両者間で音声通信を行うために必要な情報を有しており、音源装置１５は利用者電話端末Ａに対して擬似ＢＴを所定の時間送信した後に、次発信待ち音を送信する（ステップ５７）。これにより利用者は、相手電話端末Ｂとの通信が終了し、次の発信を行うことが可能であることを認識する。
【００５８】
続いて利用者が相手電話端末Ｃに電話をかけることを希望し、利用者端末Ａにおいて相手電話端末Ｃの電話番号を指定した発信の操作を行うと、次の通話相手先としての相手電話端末Ｃの電話番号を含む発信要求が要求受付／状態管理装置１１に送られる（ステップ５８）。要求受付／状態管理装置１１は、例えば、当該発信要求に含まれる利用者識別情報を用いて記録情報を検索し、その識別情報の利用者に関して前に連続発信要求があったことを把握し、相手電話端末Ｃの電話番号と前回記録しておいた呼識別子を含む発信要求を連続発信制御装置１３に送信する（ステップ５９）。そして、以下の処理が行われる。以下の処理において用いられる呼識別子は最初に付与された呼識別子と同じである。もちろん、別の呼識別子を用いてもよい。
【００５９】
連続発信制御装置１３は、受信した呼識別子から発信元が利用者端末Ａであることを認識し、利用者端末Ａのセッション記述を含む接続要求メッセージを相手電話端末Ｃに送信することにより相手電話端末Ｃの呼び出しを開始する（ステップ６０）。なお、連続発信制御装置１３は、以前に利用者端末Ａのセッション記述等の情報を取得したときにその情報と呼識別子とを対応付けて記憶手段に記録している。これにより利用者端末Ａのセッション記述を取得できる。
【００６０】
それに続き、連続発信制御装置１３は、音源装置１５に対し、発信待ち音に代えて擬似ＲＢＴを送信する旨の指示である擬似ＲＢＴ送出指示メッセージを送信し（ステップ６１）、音源装置１５から応答メッセージが返される（ステップ６２）。利用者電話端末Ａと音源装置１５間の音声通信セッションは既に確立されているため、上記の指示を受けた音源装置１５は利用者電話端末Ａに対して擬似ＲＢＴを送信し（ステップ６３）、利用者電話端末Ａを利用する利用者はその擬似ＲＢＴを聞く。これにより利用者は相手電話端末Ｃにおいて呼び出しが行われていることを認識する。
【００６１】
相手電話端末Ｃがオフフックすると、応答メッセージが連続発信制御装置１３に送信される（ステップ６４）。なお、この応答メッセージは、ステップ６０の接続要求メッセージに対する応答メッセージである。また、この応答メッセージには、相手電話端末Ｃと音声通信を行うために必要な情報（相手電話端末Ｃのセッション記述）が含まれる。
【００６２】
相手電話端末Ｃから上記応答メッセージを受信した連続発信制御装置１３は、音源装置１５との接続を切断するとともに（ステップ６５、６６）、相手電話端末Ｃのセッション記述を含む接続要求メッセージを利用者電話端末Ａに送信する（ステップ６７）。利用者電話端末Ａは応答メッセージを返す（ステップ６８）。そして、利用者電話端末Ａと相手電話端末Ｃとの間の音声通信（ＲＴＰによる通信）が行われる（ステップ６９）。
【００６３】
その後に利用者電話端末Ａからオンフックを行う場合はステップ４１〜４５と同様の処理が行われる。また、更に別の相手電話端末に対する発信を行う場合は、ステップ５１からの処理と同様の処理が行われる。
【００６４】
（第２の動作例）
上記の例では、利用者電話端末Ａから次の発信を行う場合に、利用者端末Ａから次の相手の電話番号を指定していたが、連続発信制御装置１３が連続発信に係る複数の相手の電話番号のリストを保持することにより利用者が電話番号を指定することなく連続発信を行うことも可能である。この場合の処理の一例を以下に説明する。なお、全体の処理の流れは第１の動作例と同様であるので、図７、８のシーケンス図を参照して説明する。
【００６５】
利用者は、利用者端末Ａ上で希望の電話番号を入力することにより電話番号のリストを作成する。あるいは予め作成されたリストのファイルを取得する。
【００６６】
利用者がリストを用いた連続発信のための操作を利用者端末Ａにおいて行うと、利用者電話端末Ａの電話番号と、当該リストとを含む連続発信要求が要求受付／状態管理装置１１に送られる（ステップ２１）。要求受付／状態管理装置１１は、当該利用者端末Ａからリストを用いた連続発信要求があったことを記録し（例えば連続発信要求に含まれる利用者識別情報をリストを用いた連続発信の要求を行ったことを識別する情報とともに記録する）、利用者電話端末Ａの電話番号とリストとを含む連続発信要求を連続発信制御装置１３に送信する（ステップ２２）。
【００６７】
連続発信制御装置１３は、この連続発信要求に対して呼識別子を付与し、それを要求受付／状態管理装置１１に送信する（ステップ２３）。要求受付／状態管理装置１１は、その呼識別子を利用者識別情報と対応付けて記憶手段に保持する。また、この呼識別子は、リストを用いた連続発信の呼に関する呼識別子であるとして連続発信制御装置１３の記憶手段にリストと共に記録される。また、この呼識別子は連続発信に係わる制御メッセージに含められる。
【００６８】
続いて、連続発信制御装置１３は、利用者電話端末Ａに対する呼び出しを行うとととも（ステップ２４、２５）、リストの一番目に記述されている電話番号を持つ利用者電話端末Ｂに対して接続要求メッセージを送信することにより利用者電話端末Ｂの呼び出しを行う（ステップ２６）。ステップ２７〜ステップ５７の処理は、第１の動作例と同じである。
【００６９】
ステップ５７の後、利用者が次の電話端末との通話を希望し、利用者端末Ａにおいて次の発信の操作を行うと、発信要求が要求受付／状態管理装置１１に送られる（ステップ５８）。要求受付／状態管理装置１１は、前回払い出された呼識別子を含む発信要求を連続発信制御装置１３に送信する（ステップ５９）。
【００７０】
連続発信制御装置１３は、当該呼識別子に対応付けられて格納されているリストから、未だ電話発信が行われていない電話番号の中の最初の電話番号に対応する相手電話端末Ｃに接続要求メッセージを送信する（ステップ６０）。それ以降の処理は第１の動作例と同じである。
【００７１】
なお、上記の例では連続発信制御装置１３がリストを保持して連続発信の相手電話番号を取得していたが、要求受付／状態管理装置１１がリストを保持し、利用者端末Ａから発信要求があったときに、そのリストから相手電話番号を取得し、その電話番号を含む発信要求を連続発信制御装置１３に対して送信することとしてもよい。
【００７２】
また、リストを連続発信要求時に送信するのではなく、連続発信制御装置１３もしくは要求受付／状態管理装置１１に予めアップロードしておくこととしてもよい。
【００７３】
（回数、時間による終了の例）
連続発信セッションを終了させるための方法としては、更に、連続発信の回数による制限を設けることにより終了させる方法、及び次発信待ち音の送出を開始してから次発信要求があるまでの時間の制限を設けることにより終了させる方法がある。
【００７４】
この場合、要求受付／状態管理装置１１は、図９に示すテーブル情報を記憶手段に保持する。ある利用者に対するテーブル情報はその利用者の識別情報を含む連続発信要求を最初に受信したときに作成される。また、連続発信制御装置１３から、呼識別子を含む切断通知を受けたときに当該利用者に対するテーブル情報は削除することとしてよい。もしくは連続発信セッションが終了したことを記録することとしてもよい。
【００７５】
図９に示すように、このテーブル情報には、利用者識別情報（利用者電話端末の電話番号でもよい）、連続発信回数、呼識別子を有する。呼識別子は最初の連続発信要求のときに連続発信制御装置１３から付与されたものである。
【００７６】
最初に連続発信要求を受けたときに連続発信回数として１が記録される。そして、要求受付／状態管理装置１１は、当該利用者端末Ａから次の発信要求を受信した場合には、発信要求に含まれる利用者識別情報を用いてテーブル情報を検索し、その識別情報に対応する連続発信回数を１だけ増加させる。
【００７７】
また、要求受付／状態管理装置１１は、連続発信の回数の制限値を予め記憶手段に保持しており、その制限回数と増加後の連続発信回数とを比較し、制限回数が連続発信回数以上である場合に限り次の処理に進む。
【００７８】
なお、制限回数が連続発信回数未満である場合には、利用者端末Ａに連続発信不可であることを示す情報を送信するとともに、連続発信制御装置１３に切断要求を送信する。これを受けた連続制御発信装置１３は、切断要求メッセージを用いて音源装置１５との接続と利用者電話端末Ａとの接続を切断する。また、要求受付／状態管理装置１１に対して呼切断の通知を行う。
【００７９】
また、連続発信制御装置１３は、接続を切断する前に、発信回数超過音送出指示メッセージを音源装置１５に送信して、音源装置１５から利用者電話端末Ａに対して「次発信待ち音」に代えて「発信回数超過音」を送るようにしてもよい。また、上記の回数に基づく制御を連続発信制御装置１３が行うこととしてもよい。
【００８０】
次発信待ち音の送出を開始してからの時間制限に関しては、連続発信制御装置１３が予め制限時間長を記憶手段に保持しておき、次発信待ち音を送信してからの時間をタイマーで計測し、次の発信要求を受けることなくそのタイマーの時間が制限時間長に達したときに各接続の切断を行うとともに、要求受付／状態管理装置１１に対して呼切断の通知を行う。
【００８１】
（実施の形態の効果）
本実施の形態で説明したシステムを用いることにより、クリックツーダイヤルにおいて連続的に発信を行う場合に、前の通話相手との通話を終了させるために電話端末をオンフックすることが不要となり、また、次の通話相手との通話に際して自分の電話端末が鳴ることを待ってオフフックを行うという動作が不要となる。従って、利用者の操作性が向上し、効率的に連続発信を行うことが可能となる。
【００８２】
なお、本発明は、上記の実施の形態に限定されることなく、特許請求の範囲内において、種々変更・応用が可能である。    
【図面の簡単な説明】
【００８３】
【図１】従来のクリックツーダイヤル技術におけるシステム概要構成図である。
【図２】利用者端末の画面に表示される情報の一例である。
【図３】本発明の実施の形態における処理の基本的な流れを説明するための図である。
【図４】本発明の実施の形態におけるシステム構成図である。
【図５】連続発信制御装置の機能構成の一例である。
【図６】連続発信制御装置を実現するためのコンピュータの構成の一例である。
【図７】図４に示したシステムの動作例を示すシーケンスチャートである。
【図８】図４に示したシステムの動作例を示すシーケンスチャートである。
【図９】テーブル情報の一例を示す図である。
【符号の説明】
【００８４】
１  サービスネットワーク
３  利用者端末
５  利用者電話端末
７  相手電話端末
９  クリックツーダイヤルシステム
１１  要求受付／状態管理装置
１３  連続発信制御装置
１５  音源装置
１７  呼接続制御装置
１９  通信ネットワーク
【図１】
0004943288.tif 000002
【図２】
0004943288.tif 000003
【図３】
0004943288.tif 000004
【図４】
0004943288.tif 000005
【図５】
0004943288.tif 000006
【図６】
0004943288.tif 000007
【図７】
0004943288.tif 000008
【図８】
0004943288.tif 000009
【図９】
0004943288.tif 000010